(57)【要約】【課題】  本発明は、遊技盤の表面側のみならず、裏側も遊技球を流下させることにより、遊技の興趣を飛躍的に高めることができる。【解決手段】  本発明は、正面側から見て裏側が視認可能な遊技盤１９を備える遊技機であって、遊技盤１９の表面側及び裏側には遊技球が流下可能な遊技領域Ｒ１，Ｒ２が備えられ、遊技盤１９の表面側及び裏側に備えられた各遊技領域Ｒ１，Ｒ２には遊技球を受入可能な入賞装置（例えば、表面入賞口１２ａ、裏面回転部１６）が備えられている。【選択図】    図３
2005103075.tif 000002
【特許請求の範囲】
【請求項１】
正面側から見て裏側が視認可能な遊技盤を備える遊技機であって、
前記遊技盤の表面側及び裏側には遊技球が流下可能な遊技領域が備えられ、
前記遊技盤の表面側及び裏側に備えられた各遊技領域には遊技球を受入可能な入賞装置が備えられることを特徴とする遊技機。
【請求項２】
前記入賞装置は、いずれも前記遊技盤に取り付けられていることを特徴とする請求項１に記載の遊技機。  
【請求項３】
前記遊技盤の裏側には、駆動機構が備えられ、
前記入賞装置には、前記駆動機構により駆動される入賞装置が含まれており、
流下する遊技球から前記駆動機構を保護する保護部材を備えることを特徴とする請求項１又は請求項２のいずれかに記載の遊技機。
【発明の詳細な説明】
【技術分野】
【０００１】
本発明は、正面側から見て裏側の少なくとも一部が視認可能な遊技盤を備える遊技機に関するものである。
【背景技術】
【０００２】
従来の遊技機には、所定の画像を表示する表示部の表面側に、複数の釘が植設された透明な遊技盤を備える遊技機がある（例えば、特許文献１参照）。この遊技機によれば、表示部が遊技球の流下方向を邪魔しない位置に備えられるため、遊技機は、より大きな表示部を備えることができ、当該表示部の表面側においても遊技球が流下する態様を遊技者に見せることができるとともに、遊技の興趣を高めることができる。
【特許文献１】特開平１１−７６５１７号公報
【発明の開示】
【発明が解決しようとする課題】
【０００３】
しかしながら、当該遊技機は、遊技球が遊技盤の表面側のみを流下するように構成されているため、遊技球の流下態様が単調であり、遊技の興趣の向上があまり望めなかった。
【０００４】
そこで、本発明は、以上の点に鑑みてなされたものであり、遊技盤の表面側のみならず、裏側も遊技球を流下させることにより、遊技の興趣を飛躍的に高めることのできる遊技機を提供することを課題とする。
【課題を解決するための手段】
【０００５】
本発明は、上記課題を解決するために、正面側から見て裏側が視認可能な遊技盤（例えば、遊技盤１９）を備える遊技機であって、遊技盤の表面側及び裏側には遊技球が流下可能な遊技領域（例えば、遊技領域Ｒ１，Ｒ２）が備えられ、遊技盤の表面側及び裏側に備えられた各遊技領域には遊技球を受入可能な入賞装置（例えば、表面入賞口１２ａ、裏面回転部１６）が備えられることを特徴とする。
【０００６】
このような本発明によれば、遊技盤の表面側及び裏側には遊技球が流下可能な遊技領域が備えられ、遊技盤の表面側及び裏側に備えられた各遊技領域には遊技球を受入可能な入賞装置が備えられることにより、遊技機は、奥行感のある遊技を行うことができ、遊技の興趣を高めることができる。
【０００７】
上記発明においては、入賞装置は、いずれも遊技盤に取り付けられていることが好ましい。この場合には、遊技盤に入賞装置が取り付けられることにより、１枚の遊技盤で複数の遊技領域が形成可能となるため、遊技領域を設計する際の自由度が向上する。
【０００８】
上記発明においては、遊技盤の裏側には、駆動機構が備えられ、入賞装置には、駆動機構により駆動される入賞装置が含まれており、流下する遊技球から駆動機構を保護する保護部材（例えば、保護部材１８ａ，１８ｂ）を備えることが好ましい。この場合には、流下する遊技球から駆動機構を保護する保護部材が備えられることにより、遊技機は、遊技球の落下による駆動機構の損傷を防止することができる。
【発明の効果】
【０００９】
以上説明したように本発明によれば、遊技盤の表面側のみならず、裏側も遊技球を流下させることにより、遊技の興趣を飛躍的に高めることができる。
【発明を実施するための最良の形態】
【００１０】
（本実施形態における遊技機の構成）
本実施形態における遊技機の構成について、図面を参照しながら説明する。図１は、本実施形態における遊技機に設けられた遊技盤１９を示す正面図である。図２（Ａ）乃至（Ｃ）は、当該遊技盤１９の具体的な構成を示す図である。
【００１１】
図２（Ａ）乃至（Ｃ）に示すように、遊技盤１９は、正面側から見て裏側が視認可能な透明性部材１９Ａで形成されている。この透明性部材１９Ａは、無色透明のアクリル樹脂材、ボリカーボネート樹脂又はポリアリレート樹脂等の合成樹脂で形成することができる。
【００１２】
図２（Ａ）に示すように、遊技盤１９は、透明性部材１９Ａが裏側の一部又は全体を覆うように構成され、当該透明性部材１９Ａの底部と木製部材１９Ｂの上部とが接合することにより構成される。また、図２（Ｂ）に示すように、遊技盤１９は、木製部材１９Ｂの中心部に設けられた穴に透明性部材１９Ａが嵌め込まれることにより構成されてもよい。さらに、図２（Ｃ）に示すように、遊技盤１９は、透明な部材の片面側にある１９Ｃの部分を非透明にマスキング（塗装、印刷等）して１９Ａの部分のみを透明とすることにより構成されてもよい。
【００１３】
図３は、遊技盤１９の断面を示す図である。図３に示すように、遊技盤１９の表面側及び裏側には、遊技球が流下可能であって遊技球の流下方向に変化を与えるための遊技部材が設けられた遊技領域Ｒ１，Ｒ２が備えられている。この遊技盤１９の裏側に備えられた遊技領域Ｒ２は、該遊技領域Ｒ２の空間を保持するためのケース１１により被覆されている。
【００１４】
遊技部材には、図１及び図３に示すように、表面入賞口１２ａと、表面連通口１２ｂ乃至１２ｄと、裏面可変入賞口１３と、表面回転部１５と、裏面回転部１６と、大入賞口１４と、保護部材１８ａ，１８ｂとが含まれる。
【００１５】
図１及び図３に示すように、点線で示される裏面可変入賞口１３及び裏面回転部１６は、遊技盤１９の裏面に備えられている。それ以外の表面入賞口１２ａと、表面連通口１２ｂ乃至１２ｄと、表面回転部１５と、大入賞口１４とは、遊技盤の表面に備えられている。本実施形態に係る遊技部材は、止め具などにより遊技盤１９の表面又は裏面に取り付けられている。これにより、遊技盤１９に直接遊技部材が備えられれば、当該遊技部材１９の取り外しが容易となり、設計変更の自由度が向上し、現在の趨勢に合った設計変更が可能となる。
【００１６】
なお、遊技盤１９の表面及び裏面には多数の釘が植設されている。また、遊技盤１９の表面及び裏面には役物又は回転可能な風車が備えられてもよい。さらに、遊技盤１９の裏面には、釘、入賞装置（表面入賞口１２ａなど）又は役物が備えられていなくてもよい。
【００１７】
表面入賞口１２ａは、遊技盤１９の表面に備えられ、遊技球を受入可能な部材であり、入賞装置（図示せず）の一部を構成するものである。この表面入賞口１２ａに受け入れられた遊技球は、誘導路２０ａを通過して遊技領域Ｒ２の背後へ排出される。この排出された遊技球の数に応じて所定数の遊技球が賞球として遊技機の前面に備えられた上皿（図示せず）に排出される。
【００１８】
表面連通口１２ｂ乃至１２ｄは、遊技盤１９の表面に備えられており、遊技球を受入可能な部材である。この表面連通口１２ｂ乃至１２ｄの背後には、遊技盤１９の表面側に備えられた遊技領域Ｒ１及び裏側に備えられた遊技領域Ｒ２が連通しており、遊技球が通過可能な連通路２１が備えられている。図３に示すように、表面連通口１２ｃに受け入れられた遊技球は、連通路２１を通過して裏面可変入賞口１３へと誘導される。
【００１９】
なお、遊技盤１９の裏面にも上述した連通口及び連通路が備えられてもよい。この場合には、遊技領域Ｒ１及び遊技領域Ｒ２を流下する遊技球が、表面側から裏面側へ又は裏面側から表面側へと移動することにより、遊技機は、さらに奥行感のある遊技を遊技者に行わせることができ、さらに遊技の興趣を高めることができる。
【００２０】
裏面可変入賞口１３は、入賞装置の一部である。この裏面可変入賞口１３は、開閉可能な羽根を備えており、入賞する毎に該羽根が開状態又は閉状態となるように構成されている。本実施形態に係る裏面可変入賞口１３は、遊技盤１９の裏面の中央付近に備えられている。
【００２１】
駆動機構１７ａ，１７ｂは、遊技盤１９の裏側に備えられ、後述する表面回転体１５ａ、裏面回転体１６ａを回転させる駆動機構であり、モータ及び駆動軸により構成されている。この駆動機構１７ａ，１７ｂのそれぞれの駆動軸は、表面回転体１５ａ、裏面回転体１６ａの中心部に圧入されており、当該表面回転体１５ａ、裏面回転体１６ａは、当該駆動軸の動きに連動して回転する。
【００２２】
なお、駆動機構として、モータ及び駆動軸の他、ソレノイド、リンク部材などが挙げられる。
【００２３】
保護部材１８ａ，１８ｂは、流下する遊技球から駆動機構１７ａ，１７ｂを保護する部材であり、例えば、ポリカーボネート等の樹脂により形成されている。本実施形態では、遊技盤１９の裏側に備えられた遊技領域Ｒ２内で駆動機構１７ａ，１７ｂを保護している。なお、保護部材１８ａ，１８ｂは、駆動機構１７ａ，１７ｂの全体又は一部を保護してもよい。また、保護部材１８ａ，１８ｂは、設けられていなくてもよい。
【００２４】
アウト口２２は、遊技領域Ｒ１及び遊技領域Ｒ２にある遊技球を共通して排出するための排出口である。
【００２５】
大入賞口１４は、遊技盤１９の表面に備えられ、裏面回転部１６内の所定位置に設けられた特定領域１６ｇを遊技球が通過することを条件に、所定の特典を付与するように構成される入賞装置の一部である。ここで、所定の特典は、例えば、大入賞口１４に設けられた蓋体が所定時間（１０秒など）開放すること等が挙げられる。
【００２６】
図４は、表面回転部１５及び裏面回転部１６の構造及び動作を示す図である。
【００２７】
前記表面回転部１５は、遊技盤１９の表面に備えられ、駆動機構１７ａにより駆動される駆動部材であり、本実施形態では、図４に示すように、表面回転体１５ａと、外周部１５ｂと、表面切欠き部１５ｃと、表面回転体受入口１５ｄと、通過領域１５ｅとを備えている。
【００２８】
表面回転体１５ａは、駆動機構１７ａにより駆動される駆動部材である。本実施形態に係る表面回転体１５ａは、駆動機構１７ａにより時計回りに駆動される。
【００２９】
外周部１５ｂは、表面回転体１５ａを囲うように形成された部材であり、当該外周部１５ｂの外周には表面切欠き部１５ｃが備えられている。
【００３０】
表面切欠き部１５ｃは、遊技球を表面回転体１５ａの方に誘導するものであり、外周部１５ｂの最上位置に備えられている。
【００３１】
表面回転体受入口１５ｄは、表面切欠き部１５ｃを通過した遊技球を受け入れるものであり、表面回転体１５ａの円周上から所定の深さを有する穴を形成している。
【００３２】
通過領域１５ｅは、表面回転体受入口１５ｄに受け入れられた遊技球を裏面回転部１６へと誘導するための誘導路２０ｂの内部を構成する領域であり、外周部１５ｂの最下位置の近傍に備えられている。
【００３３】
前記裏面回転部１６は、遊技盤１９の裏側に備えられ、駆動機構１７ｂにより駆動される駆動部材（入賞装置）であり、本実施形態では、裏面回転体１６ａと、外周部１６ｂと、裏面切欠き部１６ｃと、ハズレ受入口１６ｄ，１６ｅと、Ｖ入賞受入口１６ｆとを備えている。また、裏面回転部１６には、複数の通過領域が備えられており、複数の通過領域のいずれかが後述する特定領域１６ｇであり、他の通過領域がハズレ通過領域１６ｈである。
【００３４】
裏面回転体１６ａは、駆動機構１７ｂにより駆動される駆動部材である。本実施形態に係る裏面回転体１６ａは、駆動機構１７ｂにより反時計回りに駆動される。
【００３５】
外周部１６ｂは、裏面回転体１６ａを囲うように形成された部材であり、当該外周部１６ｂの外周には裏面切欠き部１６ｃが備えられている。
【００３６】
裏面切欠き部１６ｃは、遊技球を裏面回転体１６ａの方に誘導するものであり、外周部１６ｂの最上位置に備えられている。
【００３７】
ハズレ受入口１６ｄ，１６ｅは、裏面切欠き部１６ｃを通過した遊技球を受け入れるものであり、裏面回転体１６ａの円周上から所定の深さを有する穴を形成している。このハズレ受入口１６ｄ，１６ｅは、受け入れた遊技球を後述するハズレ通過領域１６ｈへと誘導する。
【００３８】
Ｖ入賞受入口１６ｆは、裏面切欠き部１６ｃを通過した遊技球を受け入れるものであり、裏面回転体１６ａの円周上から所定の深さを有する穴を形成している。このＶ入賞受入口１６ｆは、上記ハズレ受入口１６ｄ，１６ｅの穴の深さよりも深く形成されており、特定領域１６ｇが備えられている位置までカギ状の穴が形成されている。このＶ入賞受入口１６ｆは、受け入れた遊技球を後述する特定領域１６ｇへと誘導する。
【００３９】
特定領域１６ｇは、Ｖ入賞受入口１６ｆに受け入れられた遊技球が通過可能な領域であり、裏面回転体１６ａの中心と裏面回転体１６ａの外周との間（所定位置）に設けられている。この特定領域１６ｇを遊技球が通過することを条件に、所定の特典が付与される。この所定の特典には、大入賞口１４に設けられた蓋体１４ａが所定時間（例えば、１０秒）開放すること等が含まれる。
【００４０】
ハズレ通過領域１６ｈは、ハズレ受入口１６ｄ，１６ｅに受け入れられた遊技球をハズレとして排出するための領域であり、外周部１６ｂの最下位置の近傍に備えられている。
【００４１】
上記に示す表面回転部１５及び裏面回転部１６の詳細な動作は、以下の通りである。
【００４２】
図４（ａ）に示すように、表面回転体受入口１５ｄは、表面切欠き部１５ｃを通過した遊技球を受け入れて、表面回転体１５ａの回転に連動して受け入れられた遊技球を通過領域１５ｅまで誘導する。そして、通過領域１５ｅを遊技球が通過したときは、当該遊技球は裏面回転体１６ａに備えられたいずれかの受入口１６ｄ乃至１６ｆに受け入れられる。
【００４３】
図４（ｂ）に示すように、例えば、裏面回転体１６ａに備えられたＶ入賞受入口１６ｆに遊技球が受け入れられたときは、当該Ｖ入賞受入口１６ｆは、裏面回転体１６ａの回転に連動して受け入れた遊技球を特定領域１６ｇへと誘導する。
【００４４】
図４（ｃ）に示すように、Ｖ入賞受入口１６ｆに受け入れられた遊技球が特定領域１６ｇを通過すると、大入賞口１４に設けられた蓋体１４ａが所定時間開放する。
【００４５】
なお、上記実施形態に係る遊技盤１９の裏側に備えられた遊技部材は、当該遊技盤１９の裏面に取り付けられているが、これに限定されるものではない。
【００４６】
なお、遊技領域Ｒ２に入賞装置や遊技釘等の遊技部材が備えられていなくてもよい。
【００４７】
図５は、遊技部材の取付位置についての変更例を示す図（その１）である。図５に示すように、遊技盤１１は、箱状に形成され、表面側に遊技部材が備えられている。この遊技盤１１の裏側は開口されている。同様にして、遊技盤２３の表面側にも遊技部材が備えられている。当該遊技盤２３が遊技盤１１の裏側で当該遊技盤１１に嵌め込まれることにより、遊技盤１１の表面側には遊技領域Ｒ１が備えられ、遊技盤１１と遊技盤２３との間には遊技領域Ｒ２が備えられる。
【００４８】
図６は、遊技部材の取付位置についての変更例を示す図（その２）である。図６に示すように、本変更例は、図５に示す遊技盤２３が遊技機枠３１に変更されたものである。遊技機枠３１には、遊技盤１１を嵌め込み可能な凹部３２が形成されており、当該凹部の内壁には遊技部材が備えられている。この凹部３２に遊技盤１１が嵌め込まれることにより、遊技盤１１の表面側には遊技領域Ｒ１が備えられ、凹部３２の内側には遊技領域Ｒ２が備えられる。
【００４９】
なお、本実施形態に係る入賞装置は、上述の裏面回転部１６に限定されるものではない。例えば、入賞装置は、箱状に形成され、下端に複数の通過領域（下端にある複数の通過領域のうち真中の通過領域は、上述の特定領域として構成されてもよい）と、上部から受け入れた遊技球をいずれかの通過領域に振り分ける可動部材とが備えられており、当該可動部材はモータ等の駆動源により駆動され、当該可動部材の位置により遊技球の誘導方向が変化する。なお、可動部材は、動力源により駆動するものでなくてもよい。
【００５０】
（本実施形態における遊技機の作用及び効果）
このような本発明によれば、遊技盤１９の表面側及び裏側には遊技球が流下可能な遊技領域Ｒ１，Ｒ２が備えられ、遊技盤１９の表面側及び裏側に備えられた各遊技領域Ｒ１，Ｒ２には遊技球を受入可能な裏面回転部１６などの入賞装置が備えられることにより、遊技機は、奥行感のある遊技を行うことができ、遊技の興趣を高めることができる。
【００５１】
また、遊技盤１９に入賞装置が取り付けられることにより、１枚の遊技盤１９で複数の遊技領域が形成可能となるため、遊技領域を設計する際の自由度が向上する。これにより、遊技部材の取り外しが容易となり、設計変更の自由度が向上し、現在の趨勢に合った設計変更が可能となる。
【００５２】
さらに、流下する遊技球から駆動機構１７ａ，１７ｂを保護する保護部材１８ａ，１８ｂが備えられることにより、遊技機は、遊技球の落下による駆動機構１７ａ，１７ｂの損傷を防止することができる。
【図面の簡単な説明】
【００５３】
【図１】本実施形態における遊技盤を示す正面図である。
【図２】本実施形態における遊技盤の具体的な構成を示す図である。
【図３】本実施形態における遊技盤の断面を示す図である。
【図４】本実施形態における表面回転部及び裏面回転部の構造及び動作を示す図である。
【図５】遊技部材の取付位置についての変更例を示す図である（その１）。
【図６】遊技部材の取付位置についての変更例を示す図である（その２）。
【符号の説明】
【００５４】
１１…ケース、１１…遊技盤、１２ａ…表面入賞口、１２ｂ乃至１２ｄ…表面連通口、１３…裏面可変入賞口、１４…大入賞口、１４ａ…蓋体、１５…表面回転部、１５ａ…表面回転体、１５ｂ…外周部、１５ｃ…表面切欠き部、１５ｄ…表面回転体受入口、１５ｅ…通過領域、１６…裏面回転部、１６ａ…裏面回転体、１６ｂ…外周部、１６ｃ…裏面切欠き部、１６ｄ，１６ｅ…ハズレ受入口、１６ｆ…Ｖ入賞受入口、１６ｇ…特定領域、１６ｈ…ハズレ通過領域、１７ａ，１７ｂ…駆動機構、１８ａ，１８ｂ…保護部材、１９…遊技盤、１９Ａ…透明性部材、１９Ｂ…木製部材、２０ａ…誘導路、２０ｂ…誘導路、２１…連通路、２２…アウト口、２３…遊技盤、３１…遊技機枠、３２…凹部、Ｒ１，Ｒ２…遊技領域
【図１】
2005103075.tif 000003
【図２】
2005103075.tif 000004
【図３】
2005103075.tif 000005
【図４】
2005103075.tif 000006
【図５】
2005103075.tif 000007
【図６】
2005103075.tif 000008